(57)【要約】【課題】用紙サイズ検出装置及び検出方法の提供。【解決手段】本用紙サイズ検出装置及び検出方法は、中央スイッチ、少なくとも二つのスイッチ及び少なくとも一つのセンサを包含し、該二つのスイッチは該中央スイッチの相対する両側に離間して設置され、該センサは該中央スイッチの両側の該スイッチに対応し、該二つのスイッチのうちの一つが用紙を置いていない初期状態で該センサをトリガし、該二つのスイッチのうちのもう一つは用紙を置いていない初期状態で該センサをトリガしない。この構造の設置とその方法により、Ｎ個のセンサがＮ×２種類の用紙サイズを判断する検出方法を達成し、Ｎは２、３、４．．．の正の整数である。これにより、用紙サイズ検出装置及び検出方法は構造が簡単で製造コストが低いという長所を有する。【選択図】図１
2013180892.tif 000002
【特許請求の範囲】
【請求項１】
用紙サイズ検出装置において、
中央スイッチと、
該中央スイッチの相対する両側に離間して設置された少なくとも二つのスイッチと、
少なくとも一つのセンサであって、該中央スイッチの相対する両側の該二つのスイッチに同時に対応し、該二つのスイッチ中の一つのスイッチは用紙が置かれていない初期状態で該センサをトリガし、該二つのスイッチ中のもう一つのスイッチは用紙が置かれていない初期状態で該センサをトリガしない、上記少なくとも一つのセンサと、
を包含したことを特徴とする、用紙サイズ検出装置。
【請求項２】
請求項１記載の用紙サイズ検出装置において、該センサはホトセンサを包含し、該二つのスイッチ中の一つのスイッチは用紙が置かれていない初期状態で該センサを遮断し、該二つのスイッチ中のもう一つのスイッチは用紙が置かれていない初期状態で該センサを遮断しないことを特徴とする、用紙サイズ検出装置。
【請求項３】
用紙サイズ検出装置において、該用紙サイズ検出装置は用紙トレイに設置され、
第１スイッチであって、上端と下端を具え、該第１スイッチの上端は該用紙トレイ上に伸出する、上記第１スイッチと、
該用紙トレイに接続された第２スイッチと、
第３スイッチであって、上端と下端を具え、該第３スイッチの上端は該用紙トレイ上に伸出し、該第１スイッチの上端、該第２スイッチと第３スイッチの上端は相互に離間し、該第２スイッチは該第１スイッチの上端と該第３スイッチの上端の間に設置される、上記第３スイッチと、
第１ホトセンサであって、該用紙トレイ内に設置され、該第１ホトセンサに光発射部と光受信部が設置され、該第１スイッチの下端は該第１ホトセンサの該光発射部と該光受信部の間に設置され、該第３スイッチの下端は該光発射部と該光受信部の外部に設置される、上記第１ホトセンサと、
を包含したことを特徴とする、用紙サイズ検出装置。
【請求項４】
請求項３記載の用紙サイズ検出装置において、該第２スイッチはホトセンシティブ素子を包含し、該ホトセンシティブ素子は該用紙トレイの下方に設置され、且つ該用紙トレイに該ホトセンシティブ素子に対応する穿孔が設けられたことを特徴とする、用紙サイズ検出装置。
【請求項５】
請求項３記載の用紙サイズ検出装置において、該第２スイッチは上端と下端と第２ホトセンサを包含し、該第２ホトセンサは該用紙トレイ内に設置され、該第２ホトセンサに光発射部と光受信部が設けられ、該第２スイッチの上端は該用紙トレイ上に伸出し、且つ該第１スイッチの上端と該第３スイッチの上端の間に設置され、該第２スイッチの下端は該第２ホトセンサに対応することを特徴とする、用紙サイズ検出装置。
【請求項６】
請求項５記載の用紙サイズ検出装置において、該第２スイッチの下端は該第２ホトセンサの光発射部と光受信部の間に設置されることを特徴とする、用紙サイズ検出装置。
【請求項７】
請求項５記載の用紙サイズ検出装置において、該第２スイッチの下端は該第２ホトセンサの光発射部と光受信部の外に設置されることを特徴とする、用紙サイズ検出装置。
【請求項８】
用紙サイズ検出装置において、該用紙サイズ検出装置は紙送り経路に設置され、
第１スイッチであって、上端と下端を具え、該第１スイッチの上端は該用紙経路に伸入する、上記第１スイッチと、
該用紙経路に設置された第２スイッチと、
第３スイッチであって、上端と下端を具え、該第３スイッチの上端は該用紙経路に伸入し、該第１スイッチの上端、該第２スイッチと第３スイッチの上端は相互に離間し、該第２スイッチは該第１スイッチの上端と該第３スイッチの上端の間に設置される、上記第３スイッチと、
第１ホトセンサであって、該第１ホトセンサに光発射部と光受信部が設置され、該第１スイッチの下端は該第１ホトセンサの該光発射部と該光受信部の間に設置され、該第３スイッチの下端は該光発射部と該光受信部の外部に設置される、上記第１ホトセンサと、
を包含したことを特徴とする、用紙サイズ検出装置。
【請求項９】
用紙サイズ検出方法において、
中央スイッチが設置され、
該中央スイッチの相対する両側に、互いに離間するように同じ数量のスイッチが設置され、
該中央スイッチを中点とし、近くから遠くに、或いは遠くから近くに、該中央スイッチの相対する両側のスイッチが、二つを一組として同一のセンサに対応させられ、
該中央スイッチの一側に位置するスイッチが、用紙が置かれていない初期状態でそれに対応する該センサをトリガし、
該中央スイッチの別側に位置するスイッチが、用紙が置かれていない初期状態でそれに対応する該センサをトリガせず、
以上を包含することを特徴とする、用紙サイズ検出方法。
【請求項１０】
用紙サイズ検出方法において、
第１ホトセンサが用紙トレイ内に置かれ、
該用紙トレイ上に順に第１スイッチ、第２スイッチと第３スイッチが設置され、
該第１スイッチが該第１ホトセンサを遮蔽し、並びに該第３スイッチが該第１ホトセンサより離れ、
異なるサイズの用紙が該用紙トレイに置かれる時、該第１スイッチと該第３スイッチが該用紙により駆動されて該第１ホトセンサをトリガし、且つ該第２スイッチが該用紙により駆動されてトリガされ、これにより、該第１ホトセンサと該第２スイッチがトリガされて合計で最多で４種類のレベル信号を発生して最多で４種類の用紙サイズを検出し、
以上を包含することを特徴とする、用紙サイズ検出方法。
【発明の詳細な説明】
【技術分野】
【０００１】
本発明は用紙サイズ検出装置に係り、特に構造が簡単で製造コストが低い用紙サイズ検出装置及び検出方法に関する。
【背景技術】
【０００２】
図１２に示されるのは、既存の用紙サイズ検出装置９００である。該用紙サイズ検出装置９００は、用紙トレイ９０２、第１ホトセンサ９０４、第１スイッチ９０６、第２ホトセンサ９０８、第２スイッチ９１０、第３ホトセンサ９１２及び第３スイッチ９１４を包含する。該第１スイッチ９０６、第２スイッチ９１０及び第３スイッチ９１４は用紙トレイ９０２に設置され、各１スイッチ９０６、９１０、９１４の上端は用紙トレイ９０２の上表面より突出し、用紙トレイ９０２の上表面より突出し、各スイッチ９０６の下端は第１ホトセンサ９０４に、第２スイッチ９１０の下端は第２ホトセンサ９０８に、及び第３スイッチ９１４の下端は第３スイッチ９１２にそれぞれ対応する。
【０００３】
各ホトセンサ９０４、９０８、９１２はそれぞれ光発射部９１６と光受信部９１８を具え、且つ動作原理はいずれも同じで、ここでは第１ホトセンサ９０４を例として説明するが、光発射部９１６と光受信部９１８の間に障害物がない時、光発射部９１６が発射した光線は光受信部９１８により受け取られ、これにより第１ホトセンサ９０４がハイレベル信号を出力する。第１スイッチ９０６の下端が、光発射部９１６と光受信部９１８の中間に移動する時、光発射部９１６が発射した光線は、第１スイッチ９０６の下端にブロックされ、光受信部９１８が光線を受け取れず、これにより、第１ホトセンサ９０４がローレベル信号を出力する。
【０００４】
用紙サイズ検出装置９００が動作する時、各ホトセンサ９０４、９０８、９１２及び各スイッチ９０６、９１０、９１４の動作は以下のとおりである。用紙トレイ９０２に用紙が置かれていない時、第１、第２、第３スイッチ９０６、９１０、９１４の上端はそれぞれ用紙トレイ９０２の上表面より伸出し、且つ下端はそれぞれ第１、第２、第３ホトセンサ９０４、９０８、９１２外に設置される。これにより、第１、第２、第３ホトセンサ９０４、９０８、９１２がそれぞれハイレベル信号を送出する。ゆえに、第１、第２、第３ホトセンサ９０４、９０８、９１２がそれぞれハイレベル信号を送出する時、用紙トレイ９０２上には用紙が置かれていないと判断できる。
【０００５】
用紙トレイ９０２に小サイズの用紙が置かれる時、小サイズの用紙は僅かに第１スイッチ９０６の上端のみを押さえて、第１スイッチ９０６の下端を駆動し、第１ホトセンサ９０４に進入させ、並びに第１ホトセンサ９０４を遮断する。これにより、第１ホトセンサ９０４の送出する信号はハイレベルからローレベルに変わる。ゆえに、第１ホトセンサ９０４がローレベル信号を送出し、第２ホトセンサ９０８及び第３ホトセンサ９１２がそれぞれハイレベル信号を送出する時、用紙トレイ９０２上に小サイズの用紙が置かれていると判断できる。
【０００６】
用紙トレイ９０２に中サイズの用紙が置かれる時、中サイズの用紙は第１スイッチ９０６と第２スイッチ９１０の上端を押さえて、第１スイッチ９０６と第２スイッチ９１０の下端を駆動し、それぞれ第１ホトセンサ９０４及び第２ホトセンサ９０８に進入させ、並びに第１ホトセンサ９０４と第２ホトセンサ９０８を遮断する。これにより、第１ホトセンサ９０４と第２ホトセンサ９０８の送出する信号はハイレベルからローレベルに変わる。ゆえに、第１ホトセンサ９０４と第２ホトセンサ９０８がそれぞれローレベル信号を送出し、第３ホトセンサ９１２がハイレベル信号を送出する時、用紙トレイ９０２上に中サイズの用紙が置かれていると判断できる。
【０００７】
用紙トレイ９０２に大サイズの用紙が置かれる時、大サイズの用紙は第１スイッチ９０６と第２スイッチ９１０及び第３スイッチ９１４の上端を押さえて、第１スイッチ９０６と第２スイッチ９１０及び第３スイッチ９１４の下端を駆動し、それぞれ第１ホトセンサ９０４と第２ホトセンサ９０８及び第３ホトセンサ９１２に進入させ、並びに第１ホトセンサ９０４と第２ホトセンサ９０８及び第３ホトセンサ９１２を遮断する。これにより、第１ホトセンサ９０４と第２ホトセンサ９０８及び第３ホトセンサ９１２の送出する信号はハイレベルからローレベルに変わる。ゆえに、第１ホトセンサ９０４と第２ホトセンサ９０８及び第３ホトセンサ９１２がそれぞれローレベル信号を送出する時、用紙トレイ９０２上に大サイズの用紙が置かれていると判断できる。
【０００８】
該用紙サイズ検出装置９００は、三つのホトセンサと三つのスイッチが相互に対応させられることで、三種類のサイズの用紙を検出できる。このため、このような設置の部品は比較的多く、構造も複雑であり、且つ比較的多くの部品はそれだけ多くの製造コストを必要とする。
【発明の概要】
【発明が解決しようとする課題】
【０００９】
本発明の目的は、構造が簡単で且つ製造コストが比較的低い用紙サイズ検出装置を提供することにある。
【００１０】
本発明のもう一つの目的は、上述の用紙サイズ検出装置を利用した用紙サイズ検出方法を提供することにある。
【課題を解決するための手段】
【００１１】
本発明の用紙サイズ検出装置は、中央スイッチ、少なくとも二つのスイッチ及び少なくとも一つのセンサを包含し、該二つのスイッチは該中央スイッチの相対する両側に離間して設置され、該センサは該中央スイッチの両側の該スイッチに対応し、該二つのスイッチのうちの一つが用紙を置いていない初期状態で該センサをトリガし、該二つのスイッチのうちのもう一つは用紙を置いていない初期状態で該センサをトリガしない。
【００１２】
本発明の用紙サイズ検出方法によると、
中央スイッチを設置し、
該中央スイッチの相対する両側に、同じ数量のスイッチを離間して設置し、
該中央スイッチを中点とし、近くから遠くへ、或いは遠くから近くへ、該中央スイッチの相対する両側のスイッチを、二つを一組とし、同じセンサに対応させ、
該中央スイッチの一側に位置するスイッチに、用紙が置かれていない初期状況で、その対応するセンサをトリガさせ、
該中央スイッチの別側に位置するスイッチに、用紙が置かれていない初期状況で、その対応するセンサをトリガさせ、
以上のステップを包含する。
【発明の効果】
【００１３】
本発明は、この構造の設置とその方法により、Ｎ個のセンサがＮ×２種類の用紙サイズを判断する検出方法を達成し、Ｎは２、３、４．．．の正の整数である。これにより、用紙サイズ検出装置及び検出方法は構造が簡単で製造コストが低いという長所を有する。
【図面の簡単な説明】
【００１４】
【図１】本発明の用紙サイズ検出装置の第１実施例表示図である。
【図２】本発明の用紙サイズ検出装置の第１実施例の動作表示図である。
【図３】本発明の用紙サイズ検出装置の第１実施例の動作表示図である。
【図４】本発明の用紙サイズ検出装置の第１実施例の動作表示図である。
【図５】本発明の用紙サイズ検出装置の第１実施例の動作表示図である。
【図６】本発明の用紙サイズ検出装置の第２実施例の動作表示図である。
【図７】本発明の用紙サイズ検出装置の第２実施例の動作表示図である。
【図８】本発明の用紙サイズ検出装置の第２実施例の動作表示図である。
【図９】本発明の用紙サイズ検出装置の第２実施例の動作表示図である。
【図１０】本発明の用紙サイズ検出装置の第３実施例表示図である。
【図１１】本発明の用紙サイズ検出装置の第４実施例表示図である。
【図１２】周知の用紙サイズ検出装置の表示図である。
【発明を実施するための形態】
【００１５】
本発明の目的は、一種の用紙サイズ検出装置及び検出方法を提供することにある。図１を参照されたい。用紙サイズ検出装置１００は、中央スイッチ、少なくとも二つのスイッチ及び少なくとも一つのセンサで構成される。本発明の第１実施例中、用紙サイズ検出装置１００は、用紙トレイ２、第１スイッチ４、第２スイッチ６（中央スイッチ）、第３スイッチ８、第１ホトセンサ１０及び第２ホトセンサ１２を包含する。第１スイッチ４、第２スイッチ６及び第３スイッチ８はそれぞれ用紙トレイ２に設置され、第１スイッチ４、第２スイッチ６及び第３スイッチ８の上端は、離間して用紙トレイ２の上表面より伸出し、第１スイッチ４及び第３スイッチ８の下端は第１ホトセンサ１０に対応し、第２スイッチ６の下端は第２ホトセンサ１２に対応する。
【００１６】
第１ホトセンサ１０及び第２ホトセンサ１２はそれぞれが光発射部１４と光受信部１６を具え、且つ動作原理はいずれも同じであり、ここでは、第１ホトセンサ１０を例として説明する。光発射部１４と光受信部１６の間に障害物がない時、光発射部１４の発射する光線は、光受信部１６により受け取られ、これにより第１ホトセンサ１０は第１レベル信号を出力する。第１スイッチ４の下端が光発射部１４と光受信部１６の中間に移動すると、光発射部１４の発射した光線は、第１スイッチ４の下端により阻止され、このため光受信部１６は光線を受け取れなくなり、これにより第１ホトセンサ１０は第２レベル信号を出力する。本実施例中、第１レベル信号はハイレベル信号とされ、第２レベル信号はローレベル信号とされる。真正に実施される時、第１レベル信号がローレベル信号とされ得て、それにより、第２レベル信号はハイレベル信号とされる。
【００１７】
図１から図５を参照されたい。用紙サイズ検出装置１００が動作する時、第１スイッチ４、第２スイッチ６及び第３スイッチ８、第１ホトセンサ１０及び第２ホトセンサ１２の動作は以下のとおりである。
【００１８】
図１と図２を参照されたい。用紙トレイ２に用紙が置かれていないか、或いは小サイズの用紙２００が置かれた時、第１スイッチ４、第２スイッチ６及び第３スイッチ８の上端は用紙トレイ２の上表面よりそれぞれ伸出し、第１スイッチ４の下端は第１ホトセンサ１０内に進入し、並びに第１ホトセンサ１０を遮断し、第２スイッチ６の下端は第２ホトセンサ１２内に進入し、並びに第２ホトセンサ１２を遮断し、第３スイッチ８の下端は第１ホトセンサ１０外に設置される。これにより、第１ホトセンサ１０と第２ホトセンサ１２はそれぞれローレベル信号を送出する。ゆえに、第１ホトセンサ１０と第２ホトセンサ１２がそれぞれローレベル信号を送出する時、用紙トレイ２上には用紙が置かれていないか小サイズの用紙２００が置かれていると判断できる。
【００１９】
図３を参照されたい。用紙トレイ２に中サイズの用紙３００が置かれた時、中サイズの用紙３００は第１スイッチ４だけの上端を押さえ、第１スイッチ４の下端を移動させて第１ホトセンサ１０より離し、これにより、第１ホトセンサ１０の発射する信号は、ローレベルからハイレベルに変わる。ゆえに、第１ホトセンサ１０がハイレベル信号を発生する時、且つ第２ホトセンサ１２がローレベル信号を発生する時、用紙トレイ２上に中サイズの用紙３００が置かれていると判断できる。
【００２０】
図４を参照されたい。用紙トレイ２に大サイズの用紙４００が置かれた時、大サイズの用紙４００は第１スイッチ４及び第２スイッチ６の上端を押さえ、これにより第１スイッチ４の下端を移動させて第１ホトセンサ１０より離し、第２スイッチ６の下端を移動させて第２ホトセンサ１２より離す。これにより、第１ホトセンサ１０及び第２ホトセンサ１２の発生する信号がそれぞれローレベルからハイレベルに変わる。ゆえに、第１ホトセンサ１０及び第２ホトセンサ１２がハイレベル信号を発生する時、用紙トレイ２上に大サイズの用紙４００が置かれていると判断できる。
【００２１】
図５を参照されたい。用紙トレイ２に超大サイズの用紙５００が置かれる時、超大サイズの用紙５００は、第１スイッチ４、第２スイッチ６、及び第３スイッチ８の上端を押さえ、第１スイッチ４の下端を移動させて第１ホトセンサ１０より離し、第２スイッチ６の下端を移動させて第２ホトセンサ１２より離し、且つ第３スイッチ８の下端を移動させて第１スイッチ４に進入させ、並びに第１ホトセンサ１０を遮断させる。これにより、第１ホトセンサ１０がローレベル信号を発生し、且つ第２ホトセンサ１２がハイレベル信号を発生する。ゆえに第１ホトセンサ１０がローレベル信号を発生し、且つ第２ホトセンサ１２がハイレベル信号を発生する時、用紙トレイ２上に超大サイズの用紙５００が置かれていると判断できる。
【００２２】
図６から図９を参照されたい。これらは本発明の用紙サイズ検出装置１００の第２実施例を示す。第２実施例と第１実施例の構造の異なるところは以下のとおりである。第２実施例では、用紙トレイ２に用紙が置かれていない時、第２スイッチ６（中央スイッチ）の下端は第２ホトセンサ１２外に設置される。
【００２３】
第２実施例では、用紙サイズ検出装置１００が動作する時、第１スイッチ４、第２スイッチ６及び第３スイッチ８、第１ホトセンサ１０及び第２ホトセンサ１２の動作は以下のとおりである。
【００２４】
図６を参照されたい。用紙トレイ２に用紙が置かれていないか、或いは小サイズの用紙２００が置かれた時、第１スイッチ４、第２スイッチ６及び第３スイッチ８の上端は用紙トレイ２の上表面よりそれぞれ伸出し、第１スイッチ４の下端は第１ホトセンサ１０内に進入し、並びに第１ホトセンサ１０を遮断し、第２スイッチ６の下端は第２ホトセンサ１２外に設置され、第３スイッチ８の下端は第１ホトセンサ１０外に設置される。これにより、第１ホトセンサ１０がローレベル信号を発生し、且つ第２ホトセンサ１２がハイレベル信号を発生する。ゆえに、第１ホトセンサ１０がローレベル信号を発生し、且つ第２ホトセンサ１２がハイレベル信号を発生する時、用紙トレイ２上には用紙が置かれていないか小サイズの用紙２００が置かれていると判断できる。
【００２５】
図７を参照されたい。用紙トレイ２に中サイズの用紙３００が置かれた時、中サイズの用紙３００は第１スイッチ４だけの上端を押さえ、これにより第１スイッチ４の下端を移動させて第１ホトセンサ１０より離し、これにより、第１ホトセンサ１０の発射する信号は、ローレベルからハイレベルに変わる。ゆえに、第１ホトセンサ１０及び第２ホトセンサ１２がそれぞれハイレベル信号を発生する時、用紙トレイ２上に中サイズの用紙３００が置かれていると判断できる。
【００２６】
図８を参照されたい。用紙トレイ２に大サイズの用紙４００が置かれた時、大サイズの用紙４００は第１スイッチ４及び第２スイッチ６の上端を押さえ、これにより第１スイッチ４の下端を移動させて第１ホトセンサ１０より離し、且つ第２スイッチ６の下端を移動させて第２ホトセンサ１２に伸入させ、これにより、第１ホトセンサ１０がハイレベル信号を発生し、且つ第２ホトセンサ１２がローレベル信号を発生する。ゆえに、第１ホトセンサ１０がハイレベル信号を発生し、且つ、第２ホトセンサ１２がローレベル信号を発生する時、用紙トレイ２上に大サイズの用紙４００が置かれていると判断できる。
【００２７】
図９を参照されたい。用紙トレイ２に超大サイズの用紙５００が置かれる時、超大サイズの用紙５００は、第１スイッチ４、第２スイッチ６、及び第３スイッチ８の上端を押さえ、第１スイッチ４の下端を移動させて第１ホトセンサ１０より離し、第２スイッチ６の下端を移動させて第２ホトセンサ１２に伸入させて第２ホトセンサ１２を遮断させ、第３スイッチ８の下端を移動させて第１ホトセンサ１０に伸入させて第１ホトセンサ１０を遮断させる。これにより、第１ホトセンサ１０と第２ホトセンサ１２はそれぞれローレベル信号を発生する。ゆえに、第１ホトセンサ１０と第２ホトセンサ１２がそれぞれローレベル信号を発生する時、用紙トレイ２上に超大サイズの用紙５００が置かれていると判断できる。
【００２８】
図１０を参照されたい。これは本発明の用紙サイズ検出装置１００の第３実施例を示し、第３実施例中、第２スイッチ６（中央スイッチ）と第２ホトセンサ１２はホトセンシティブ素子１８に置換され、ホトセンシティブ素子１８は用紙トレイ２内に設置され、且つ用紙トレイ２のホトセンシティブ素子１８に対応する部分には穿孔２０が設けられている。用紙が用紙トレイ２上に置かれて、穿孔２０を遮蔽する時、ホトセンシティブ素子１８は外部光線を検出できず、これにより、ローレベル信号を発生する。穿孔２０が未遮蔽の時、外部光線は穿孔２０よりホトセンシティブ素子１８に進入し、これにより、ホトセンシティブ素子１８は外部光線を検出し、これによりハイレベル信号を発生する。具体的に実施する時は、ホトセンシティブ素子１８が外部光線を検出できない時に、ハイレベル信号を発生し、反対に、ホトセンシティブ素子１８が外部光線を検出した時に、ローレベル信号を発生するようにもできる。
【００２９】
図１１を参照されたい。これは本発明の用紙サイズ検出装置１００の第４実施例を示す。第４実施例中、本発明の用紙サイズ検出装置１００はさらに第４スイッチ２２、第５スイッチ２４と第３ホトセンサ２６を包含する。第４スイッチ２２及び第５スイッチ２４はそれぞれ用紙トレイ２に設置され、第４スイッチ２２と第５スイッチ２４の上端は用紙トレイ２の上表面より伸出し、第４スイッチ２２及び第５スイッチ２４の下端は第３ホトセンサ２６に対応する。真正の実施時には、ホトセンサはその他の同等機能を有するセンサに置換可能である。
【００３０】
本実施例中、用紙サイズ検出装置１００の動作方式は、上述の第１実施例から第３実施例から推導され得るため、ここで詳細に説明しない。本実施例中、用紙サイズ検出装置１００の第１、第２、第３、第４、第５スイッチ４、６、８、２２、２４が動作する時、それによりトリガする第１、第２、第３ホトセンサ１０、１２、２６の発生するレベル信号状態は以下の表のとおりである。
【表１】
2013180892.tif 000003
【００３１】
上述の第１実施例から第４実施例から分かるように、最も前方の第４スイッチ２２と最も後方の第５スイッチ２４は同一のホトセンサ、すなわち、第３ホトセンサ２６に対応する。次に前方の第１スイッチ４と次に後方の第３スイッチ８は同一のホトセンサ、すなわち、第１ホトセンサ１０に対応する。並びに中間部分には相互に単独で対応する第２スイッチ６と第２ホトセンサ１２が置かれる。且つ中間部分の第２スイッチ６の前方の第４スイッチ２２と第１スイッチ４は用紙が置かれていない初期状態で、それらがそれぞれ対応する第３ホトセンサ２６及び第１ホトセンサ１０を遮断する。且つ中間部分に位置する第２スイッチ６の後方の第５スイッチ２４と第３スイッチ８は、用紙が置かれていない初期状態で、それぞれが対応する第３ホトセンサ２６及び第１ホトセンサ１０より離れ、このような設置により、Ｎ個のホトセンサでＮ×２種類の用紙サイズの検出方法を達成でき、Ｎは２、３、４．．．正の整数である。
【００３２】
本発明は中央スイッチ（第２スイッチ６）が設置され、中央スイッチの相対する両側に離間して同じ数のスイッチが設置され（第２スイッチ６の前方に第４スイッチ２２及び第１スイッチ４が設置され、第２スイッチ６の後方に第５スイッチ２４及び第３スイッチ８が設置される）、中央スイッチが中点とされ、近くから遠くに、或いは遠くから近くに、中央スイッチの相対する両側のスイッチが二つが一組として同一のホトセンサに対応し（次に前方の第１スイッチ４と次に後方の第３スイッチ８が第１ホトセンサ１０に対応し、最も前方の第４スイッチ２２と最も後方の第５スイッチ２４が第３ホトセンサ２６に対応する）、中央スイッチの一側に位置するスイッチは用紙が置かれていない初期状態で、それが対応するホトセンサを遮断し（中間部分に位置する第２スイッチ６の前方の第４スイッチ２２と第１スイッチ４に用紙が置かれていない初期状態でそれに対応する第３ホトセンサ２６及び第１ホトセンサ１０を遮断する）、中央スイッチの別側に位置するスイッチは用紙が置かれていない初期状態で、それに対応するホトセンサより離れ（中間部分に位置する第２スイッチ６の後方の第５スイッチ２４と第３スイッチ８は用紙が置かれていない初期状態ではその対応する第３ホトセンサ２６及び第１ホトセンサ１０より離れる）、このような設置により、Ｎ個のホトセンサでＮ×２種類の用紙サイズを判断する検出方法を達成する。
【００３３】
真正に実施する時、本発明の用紙サイズ検出装置１００は用紙トレイ２への設置に制限されるわけではなく、スキャナ、プリンター、ファクシミリ、コピー機等の文書処理器の紙送り経路中に設置可能であり、各スイッチの上端が紙送り経路中に伸入し、紙が紙送り経路を通過する時に、本発明の用紙サイズ検出装置１００が紙送り経路中の紙のサイズを検出できる。
【００３４】
従来の技術と比較すると、本発明の用紙サイズ検出装置及びその検出方法は、構造が簡単で製造コストが低いという長所を有する。
【００３５】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００３６】
１００  用紙サイズ検出装置
２  用紙トレイ
４  第１スイッチ
６  第２スイッチ
８  第３スイッチ
１０  第１ホトセンサ
１２  第２ホトセンサ
１４  光発射部
１６  光受信部
１８  ホトセンシティブ素子
２０  穿孔
２２  第４スイッチ
２４  第５スイッチ
２６  第３ホトセンサ
２００  小サイズの用紙
３００  中サイズの用紙
４００  大サイズの用紙
５００  超大サイズの用紙
【図１】
2013180892.tif 000004
【図２】
2013180892.tif 000005
【図３】
2013180892.tif 000006
【図４】
2013180892.tif 000007
【図５】
2013180892.tif 000008
【図６】
2013180892.tif 000009
【図７】
2013180892.tif 000010
【図８】
2013180892.tif 000011
【図９】
2013180892.tif 000012
【図１０】
2013180892.tif 000013
【図１１】
2013180892.tif 000014
【図１２】
2013180892.tif 000015